【手続補正書】
【提出日】令和3年11月4日(2021.11.4)
【手続補正１】
【補正対象書類名】特許請求の範囲
【補正対象項目名】全文
【補正方法】変更
【補正の内容】
【特許請求の範囲】
【請求項１】
炭化水素流体（１０２）中のウォーターカットを測定する方法であって、
プロダクションパイプ（１１０）に取り付けられた第１の導波管（１２０ａ、１２０ｂ）を通してマイクロ波を送信するステップであって、前記マイクロ波は前記プロダクションパイプ内の前記炭化水素流体へ方向づけられると共に前記第１の導波管は第１の充填材を用いる、ステップと、
前記マイクロ波の反射又は伝送に基づいて測定結果を得るステップであって、前記測定結果を用いて前記炭化水素流体のウォーターカットを判定する、ステップと、
前記ウォーターカットが特定のウォーターカットの範囲内にあることを判定するステップと、
前記ウォーターカットが特定のウォーターカットの範囲内にあることを判定するステップに応じて、前記第１の導波管を第２の導波管（１３０ａ、１３０ｂ）と交換するステップであって、前記第２の導波管は前記第１の充填材とは異なる第２の充填材を用いる、ステップと、
前記第２の導波管を通して第２のマイクロ波を送信するステップであって、前記第２のマイクロ波は前記プロダクションパイプ内の前記炭化水素流体へ方向づけられる、ステップと、
前記第２のマイクロ波に基づいて第２の測定結果を得るステップと、を備える、
方法。
【請求項２】
前記第１の充填材は石英を備える、
請求項１に記載の方法。
【請求項３】
前記第２の充填材はサファイアを備える、
請求項２に記載の方法。
【請求項４】
前記第２の充填材は、ルチル、ダイヤモンド、ジルコニア、又は二酸化チタンを備える、
請求項２に記載の方法。
【請求項５】
前記第１の導波管のサイズは、前記プロダクションパイプのサイズと実質的に同程度である、
請求項１に記載の方法。
【請求項６】
前記測定結果は、Ｓパラメータの大きさと位相とを備える、
請求項１に記載の方法。
【請求項７】
前記測定結果は、移動時間と、大きさの損失と、分散信号と、のうちの少なくとも１つを備える、
請求項１に記載の方法。
【請求項８】
ウォーターカット測定システム（１００）であって、
プロダクションパイプ（１１０）に取り付けられ、マイクロ波を前記プロダクションパイプ内の炭化水素流体へ導くように構成された第１の導波管（１２０ａ、１２０ｂ）であって第１の充填材を備える第１の導波管と、
前記第１の導波管に接続されたネットワークアナライザ（１４０）と、を備え、
前記ネットワークアナライザは、
前記マイクロ波を前記第１の導波管へ送信し、
前記炭化水素流体で反射された前記マイクロ波又は前記炭化水素流体を通って伝送された前記マイクロ波を受信し、
反射された前記マイクロ波又は伝送された前記マイクロ波に基づいて測定結果を得るように構成され、
前記測定結果は、前記炭化水素流体のウォーターカットを判定するために用いられ、
前記ネットワークアナライザに通信可能に結合されたコントローラを更に備え、
前記コントローラは、
メモリと、
前記メモリに通信可能に結合され、前記測定結果に基づいて前記炭化水素流体のウォーターカットを判定するように構成された、少なくとも１つのハードウェアプロセッサと、を備え、
前記第１の充填材とは異なる第２の充填材を備える第２の導波管（１３０ａ、１３０ｂ）を更に備え、
前記少なくとも１つのハードウェアプロセッサは、
前記ウォーターカットが特定のウォーターカットの範囲内にあることを判定し、
前記ウォーターカットが特定のウォーターカットの範囲内にあることの判定に応じて、前記炭化水素流体の第２のウォーターカットを前記第２の導波管を用いて判定するように構成されている、
ウォーターカット測定システム。
【請求項９】
前記第１の充填材は石英を備える、
請求項８に記載のウォーターカット測定システム。
【請求項１０】
前記第２の充填材はサファイアを備える、
請求項９に記載のウォーターカット測定システム。
【請求項１１】
前記第２の充填材は、ルチル、ダイヤモンド、ジルコニア、又は二酸化チタンを備える、
請求項９に記載のウォーターカット測定システム。
【請求項１２】
前記第１の導波管のサイズは、前記プロダクションパイプのサイズと実質的に同程度である、
請求項８に記載のウォーターカット測定システム。
【請求項１３】
前記測定結果は、Ｓパラメータの大きさと位相とを備える、
請求項８に記載のウォーターカット測定システム。
【請求項１４】
前記測定結果は、移動時間と、大きさの損失と、分散信号と、のうちの少なくとも１つを備える、
請求項８に記載のウォーターカット測定システム。
【手続補正２】
【補正対象書類名】明細書
【補正対象項目名】００７５
【補正方法】変更
【補正の内容】
【００７５】
これに従って、例示的な実施の前出の記載は、本開示を定義し又は制約しない。他の変更、置換、及び変更も、本開示の範囲及び精神から逸脱することなく可能である。
１．  第１の態様の方法は、
炭化水素流体中のウォーターカットを測定する方法であって、
プロダクションパイプに取り付けられた第１の導波管を通してマイクロ波を送信するステップであって、前記マイクロ波は前記プロダクションパイプ内の前記炭化水素流体へ方向づけられる、ステップと、
前記マイクロ波の反射又は伝送に基づいて測定結果を得るステップであって、前記測定結果を用いて前記炭化水素流体のウォーターカットを判定する、ステップと、を備える。
２．  第２の態様の方法は、上記第１の態様において、
前記第１の導波管は第１の充填材を用いており、
前記ウォーターカットが特定のウォーターカットの範囲内にあることを判定するステップと、
前記ウォーターカットが特定のウォーターカットの範囲内にあることを判定するステップに応じて、前記第１の導波管を第２の導波管と交換するステップであって、前記第２の導波管は前記第１の充填材とは異なる第２の充填材を用いる、ステップと、
前記第２の導波管を通して第２のマイクロ波を送信するステップであって、前記第２のマイクロ波は前記プロダクションパイプ内の前記炭化水素流体へ方向づけられる、ステップと、
前記第２のマイクロ波に基づいて第２の測定結果を得るステップと、を更に備える。
３．  第３の態様の方法は、上記第２の態様において、前記第１の充填材は石英を備える。
４．  第４の態様の方法は、上記第３の態様において、前記第２の充填材はサファイアを備える。
５．  第５の態様の方法は、上記第１の態様において、前記第１の導波管のサイズは、前記プロダクションパイプのサイズと実質的に同程度である。
６．  第６の態様の方法は、上記第１の態様において、前記測定結果は、Ｓパラメータの大きさと位相とを備える。
７．  第７の態様の方法は、上記第１の態様において、前記測定結果は、移動時間と、大きさの損失と、分散信号と、のうちの少なくとも１つを備える。
８．  第８の態様のウォーターカット測定システムは、
プロダクションパイプに取り付けられ、マイクロ波を前記プロダクションパイプ内の炭化水素流体へ導くように構成された第１の導波管と、
前記第１の導波管に接続されたネットワークアナライザと、を備え、
前記ネットワークアナライザは、
前記マイクロ波を前記第１の導波管へ送信し、
前記炭化水素流体で反射された前記マイクロ波又は前記炭化水素流体を通って伝送された前記マイクロ波を受信し、
反射された前記マイクロ波又は伝送された前記マイクロ波に基づいて測定結果を得るように構成され、
前記測定結果は、前記炭化水素流体のウォーターカットを判定するために用いられる。
９．  第９の態様のウォーターカット測定システムは、上記第８の態様において、
前記ネットワークアナライザに通信可能に結合されたコントローラを更に備え、
前記コントローラは、
メモリと；
前記メモリに通信可能に結合され、前記測定結果に基づいて前記炭化水素流体のウォーターカットを判定するように構成された、少なくとも１つのハードウェアプロセッサと、を備える。
１０．  第１０の態様のウォーターカット測定システムは、上記第９の態様において、
前記第１の導波管は第１の充填材を備えており、
前記第１の充填材とは異なる第２の充填材を備える第２の導波管を更に備え、
前記少なくとも１つのハードウェアプロセッサは、
前記ウォーターカットが特定のウォーターカットの範囲内にあることを判定し、
前記ウォーターカットが特定のウォーターカットの範囲内にあることの判定に応じて、前記炭化水素流体の第２ウォーターカットを前記第２の導波管を用いて判定するように構成されている。
１１．  第１１の態様のウォーターカット測定システムは、上記第１０の態様において、前記第１の充填材は石英を備える。
１２．  第１２の態様のウォーターカット測定システムは、上記第１１の態様において、前記第２の充填材はサファイアを備える。
１３．  第１３の態様のウォーターカット測定システムは、上記第８の態様において、前記第１の導波管のサイズは、前記プロダクションパイプのサイズと実質的に同程度である。
１４．  第１４の態様のウォーターカット測定システムは、上記第８の態様において、前記測定結果は、Ｓパラメータの大きさと位相とを備える。
１５．  第１５の態様のウォーターカット測定システムは、上記第８の態様において、前記測定結果は、移動時間と、大きさの損失と、分散信号と、のうちの少なくとも１つを備える。